(57)【要約】基地局によって実行されるページング手順により、不必要なページ・メッセージの伝送を回避する。第１の実施例においては、ページング・リクエストが移動局に送られるときに、移動通信交換局によって第１基地局に通知され、第１基地局は、ページング・パラメータを、メモリに、記憶する。第１基地局は、移動局から要求していないページ応答メッセージを受け、前記要求していないページ応答メッセージと、ページングを行う移動局のリストとを相互に関係付けて、対応するページング・パラメータを求め、前記要求していないページ応答を、前記対応するページング・パラメータとともに、移動通信交換局に送る。第２実施例においては、第１基地局は、移動局をページングし、移動局からのページ応答を待つことなく、移動通信交換局に、即時ページング応答を送り、移動通信交換局におけるページング手順を終了する。
2008511251.tif 000002
【特許請求の範囲】
【請求項１】
基地局によって実行される、移動局をページングする方法であって、
要求していないページ応答メッセージを、前記基地局において受けることと、
前記要求していないページ応答メッセージと、ページング移動局リストとを相互に関係付けて、対応する相関値を求めることと、
前記要求していないページ応答を、前記対応する相関値とともに、移動通信交換局に送ることとを含むことを特徴とする方法。
【請求項２】
ページングする移動局の移動局識別子と、対応する相関値とを含むページ通知メッセージを、前記移動通信交換局から受けることと、
前記移動局からの前記要求していないページ応答メッセージと、前記ページング移動局リストとを相互に関係付けるのに使用するために、前記基地局において、前記ページング移動局リストに、前記移動局識別子と、対応する相関値とを記憶することとをさらに含むことを特徴とする請求項１に記載の方法。
【請求項３】
前記ページ通知メッセージが、“ページ休止”インジケータを有するページング・リクエスト・メッセージを含み、前記基地局が、前記“ページ休止”インジケータに応じて、ページングを休止することを特徴とする請求項２に記載の方法。
【請求項４】
前記ページング・リクエスト・メッセージが、前記“ページ休止”インジケータを含んでいなければ、前記ページング・リクエスト・メッセージに応じて、前記移動局にページ・メッセージを送ることを特徴とする請求項３に記載の方法。
【請求項５】
無線通信ネットワークのための基地局制御装置であって、
移動局からの要求していないページ応答と、メモリに記憶されたページング移動局リストとを相互に関係付けて、対応するページング・パラメータを求めるように構成されたページング・プロセッサを含み、
前記ページング・プロセッサが、前記ページ応答を、前記ページング・パラメータとともに、コアネットワークに送るように構成されていることを特徴とする基地局制御装置。
【請求項６】
前記ページング・プロセッサが、移動局識別子を有するページ通知メッセージを、前記移動通信交換局から受けるとともに、前記ページング移動局リストに、前記移動局識別子を、前記ページング・パラメータとともに記憶するように構成されていることを特徴とする請求項５に記載の基地局制御装置。
【請求項７】
前記ページ通知メッセージが、“ページ休止”インジケータを有するページング・リクエスト・メッセージを含み、前記ページング・プロセッサが、前記“ページ休止”インジケータに応じて、ページングを休止することを特徴とする請求項６に記載の基地局制御装置。
【請求項８】
前記ページング・リクエスト・メッセージが、前記“ページ休止”インジケータを含んでいなければ、前記ページング・リクエスト・メッセージに応じて、前記移動局にページ・メッセージを送るように前記ページング・プロセッサが構成されていることを特徴とする請求項７に記載の基地局制御装置。
【請求項９】
無線通信ネットワークにおいて移動局をページングする方法であって、
ページング・リクエスト・メッセージを前記移動通信交換局から受けることと、
前記ページング・リクエスト・メッセージに応じて移動局をページングすることと、
前記ページング・リクエスト・メッセージが“ページ休止”インジケータを含んでいれば、ページングを休止することとを含むことを特徴とする方法。
【請求項１０】
前記ページングが休止されると、前記ページング・リクエスト・メッセージから、ページング・パラメータを、ページング移動局リストに記憶することを、さらに含むことを特徴とする請求項９に記載の方法。
【請求項１１】
要求していないページ応答メッセージを、前記移動局から受けることと、
前記要求していないページ応答メッセージと、ページング移動局リストとを相互に関係付けて、対応するページング・パラメータを求めることと、
前記ページ応答メッセージを、前記記憶されたページング・パラメータとともに送ることとをさらに含むことを特徴とする請求項１０に記載の方法。
【請求項１２】
前記記憶されたページング・パラメータが、ページ応答とこれに対応するページング・リクエストとを照合するのに使用する相関値を含むことを特徴とする請求項１１に記載の方法。
【請求項１３】
無線通信ネットワークのための基地局制御装置であって、
ページング・リクエスト・メッセージを移動通信交換局から受け、前記ページング・リクエスト・メッセージに応じて移動局をページングし、前記ページング・リクエスト・メッセージが“ページ休止”インジケータを含んでいれば、ページングを休止すように構成されたページング・プロセッサを含むことを特徴とする基地局制御装置。
【請求項１４】
前記ページング・プロセッサが、前記ページングを休止するときには、前記ページング・リクエスト・メッセージから、ページング・パラメータを、ページング移動局リストに記憶するように構成されていることを特徴とする請求項１３に記載の基地局制御装置。
【請求項１５】
前記ページング・プロセッサが、要求していないページ応答メッセージと、ページング移動局リストとを相互に関係付けて、対応するページング・パラメータを求め、前記ページ応答メッセージを、前記記憶されたページング・パラメータとともに送るように構成されることを特徴とする請求項１４に記載の基地局制御装置。
【請求項１６】
前記記憶されたページング・パラメータが、ページ応答とこれに対応するページング・リクエストとを照合するのに使用する相関値を含むことを特徴とする請求項１５に記載の基地局制御装置。
【請求項１７】
移動局をページングする方法であって、
移動通信交換局からページング・リクエスト・メッセージを基地局において受けることと、
前記ページング・リクエスト・メッセージが“ページ休止”インジケータを含んでいるか否かを判断することと、
前記“ページ休止”インジケータが含まれていなければ、前記移動局にページ・メッセージを送ることと、
前記ページング・リクエスト・メッセージ中に、前記“ページ休止”インジケータが含まれていれば、前記ページ・メッセージを休止することとを含むことを特徴とする方法。
【請求項１８】
前記ページング・リクエスト・メッセージが“ページ休止”インジケータを含んでいれば、前記ページング・リクエスト・メッセージ中の１つまたはそれ以上のページング・パラメータを、メモリに記憶することをさらに含むことを特徴とする請求項１７に記載の方法。
【請求項１９】
前記記憶されたページング・パラメータは、移動局識別子情報要素と、相関値情報要素とを含むことを特徴とする請求項１８に記載の方法。
【請求項２０】
移動局からの要求していないページ応答を受けることと、前記要求していないページ応答から移動局識別子を得ることとをさらに含むことを特徴とする請求項１９に記載の方法。
【請求項２１】
移動局をページングする方法であって、
移動通信交換局からページング・リクエスト・メッセージを基地局において受けることと、
移動局にページ・メッセージを送ることと、
前記ページング・リクエスト・メッセージが、所定の指示を含んでいれば、ページ応答を待つことなく、前記移動通信交換局に、即時ページング応答を送ることとを含むことを特徴とする方法。
【請求項２２】
前記所定の指示が、ＩＳ８５６サービス・オプションであることを特徴とする請求項２１記載の方法。
【発明の詳細な説明】
【技術分野】
【０００１】
本発明は、概して、無線通信ネットワークのための手順に関し、特に、無線インタフェースを介したページング・メッセージの不必要な伝送を回避することに関する。
【背景技術】
【０００２】
セルラ・ネットワークは、最初は、主として回線交換ネットワークを介した音声サービスのために開発された。パケット交換２．５Ｇおよび３Ｇネットワークの導入により、ネットワーク・オペレータは、音声サービスだけでなく、データ・サービスも提供できるようになった。ネットワーク・アーキテクチャは、音声サービスおよびデータ・サービスの双方を提供するオールＩＰ（Ａｌｌ−ＩＰ）ネットワークに向けて発展すると期待されている。しかしながら、ネットワーク・オペレータは、既存のインフラストラクチャにかなりの投資をしており、いつでも可能なときに既存のインフラストラクチャを使用しながら徐々にオールＩＰネットワーク・アーキテクチャに移るものと考えられる。同時に、ネットワーク・オペレータは、高速パケットデータ・サービスに対する需要があることも認識している。
【０００３】
高速パケットデータ・サービスを提供するために、ネットワーク・オペレータは、オールＩＰネットワークへの過渡期の第１ステップとして、既存の回線交換ネットワークまたはパケット交換ネットワークＩＰベースのネットワークに、高データレート（ＨＤＲ）ネットワークを重ねたハイブリッド・ネットワークを使用できる。ハイブリッド・ネットワークの一例は、音声および低速パケットデータ・サービスを提供するＩＳ２０００無線アクセス・ネットワークと、高速パケットデータ・サービスを提供するＩＳ８５６無線アクセス・ネットワークとの組合せである。移動局がＩＳ８５６ネットワークのパケットデータ・チャネルをモニタリングしているときに、ＩＳ２０００ネットワークは、到来音声コールを接続するために、移動局をページングする（page−呼出す）必要がある。従来は、移動局は、ＩＳ８５６ネットワーク中で動作している間、共通チャネルをモニタするためにＩＳ２０００ネットワークに周期的に移行する必要があった。
【０００４】
ＩＳ８５６規格は、回線サービス通知プロトコル（ＣＳＮＰ）として知られているプロトコルを含むように、最近変更されている。ＣＳＮＰにより、ＩＳ２０００ネットワークは、ＩＳ８５６ネットワークを介して移動局に信号メッセージを送ることができるので、移動局は、回線サービス通知を受けるために、ＩＳ２０００ネットワークに周期的に戻る必要がなくなる。移動局は、ＩＳ８５６アクセス・ネットワークからＡ１ページング（Ｐａｇｉｎｇ−呼出し）リクエストを受けるとき、移動局は、ＩＳ２０００キャリアに切り換わり、ページ応答メッセージを送る。移動通信交換局（ＭＳＣ）は、典型的な場合、Ａ１ページング・リクエストにＴＡＧ情報エレメントを含ませて、これをＩＳ８５６アクセス・ネットワークに送る。ＴＡＧ情報エレメントは、通常、移動局からのページ応答をＡ１ページング・リクエストと照合するのに、ＩＳ２０００ネットワーク中で使用される。しかしながら、ＴＡＧ情報エレメントは移動局に送られず、現在のところ、ＩＳ８５６アクセス・ネットワークからＩＳ２０００基地局にＴＡＧ情報エレメントを送る方法はない。この結果、ＩＳ２０００基地局は、ページ応答を、要求していないページ応答として処理する。Ａ１ページ応答がＭＳＣに転送されるとき、ＭＳＣは、このＡ１ページ応答をもとのＡ１ページング・リクエストに関係付ける（correlate）ことができず、このＡ１ページ応答を拒絶するか無視してしまうおおそれがある。
【０００５】
ＭＳＣで要求していないページ応答メッセージを取り扱う１つの方法は、移動局が現在ＩＳ８５６アクセス・ネットワーク中で動作していることが知られていても、Ａ１ページング・リクエストをＩＳ８５６アクセス・ネットワークだけでなくＩＳ２０００基地局にも送ることである。しかしながら、この解決方法は、移動局で受信することはない余分なページ・メッセージのために貴重な無線インタフェースを浪費してしまう。他の可能な方法は、ページ応答をページング・リクエストに関係付けるためにＴＡＧ情報エレメントを必要とせずに要求していないページ応答を取り扱えるようにＭＳＣを変更することである。しかしながら、ＭＳＣの変更を実施するのはやっかいで好ましいことではない。
【発明の開示】
【発明が解決しようとする課題】
【０００６】
本発明は、ハイブリッド・ネットワークにおいて移動局をページングする方法を提供するものである。
【課題を解決するための手段】
【０００７】
移動通信交換局（Mobile Switching Center：ＭＳＣ）は、“ページ休止（silent page）（呼出休止）”インジケータを有するページング（paging：呼出し）リクエスト・メッセージを送ることができる。基地局は、サイレント・ページング・リクエスト（“ページ休止”インジケータを有するページング・リクエスト）に応じて、ページングを休止する。この手順は、移動局がＩＳ８５６ネットワーク中で動作しているときに、ＩＳ２０００ネットワーク中で移動局をページングするために、または、移動局がＩＳ２０００ネットワーク中で動作しているときに、ＩＳ８５６ネットワーク中で移動局をページングするために使用できる。サイレント・ページング・リクエストは、無線インタフェースを介した移動局の不要なページングを行うことなく、ページング・パラメータを基地局に提供できる。
【０００８】
本発明の別の実施例においては、基地局が、ページング・リクエスト中に、移動局がＩＳ８５６ネットワーク中で動作していることを示す所定の指示が含まれているかを判断するために、ページング・リクエストを検査する。所定の指示は、例えば、ページング・リクエスト・メッセージ中のＩＳ８５６サービス・オプションを示す。ページング・リクエストが、所定の指示を含んでいれば、基地局は、移動局からのページ応答を待つことなく、ＭＳＣに、即時ページング応答を送る。
【発明を実施するための最良の形態】
【０００９】
以下、図面を参照して、移動局１００に音声サービスおよびデータ・サービスの双方を提供するハイブリッド・ネットワークに関連付けて、本発明を説明する。図示された本発明の典型的実施例において、ハイブリッド・ネットワーク１０は、ＩＳ２０００無線アクセス・ネットワーク（ＩＳ２０００ＲＡＮ）１２およびＩＳ８５６−Ａ無線アクセス・ネットワーク（ＩＳ８５６ＲＡＮ）１４の双方を含む複合ネットワークを含む。典型的実施例は、単に一例を示すものであり、当業者は、本発明が他のネットワーク規格に基づいたネットワークに適用できることを理解できるであろう。
【００１０】
ＩＳ２０００ＲＡＮ１２は、回線交換コアネットワーク（ＣＳＣＮ）２０に接続された１つまたはそれ以上の基地局２４を含む。ＣＳＣＮ２０は、移動局１００に対して、主として、音声サービス、および例えばファクシミリ・サービスのような低速データ・サービスを提供する。ＣＳＣＮ２０は、公衆交換電話網（ＰＳＴＮ）１６への接続を行う移動通信交換局（ＭＳＣ）２２を含む。ＭＳＣ２２は、ＰＳＴＮ１６と基地局２４との間でパケットを伝送する。基地局２４は、移動局１００と無線インタフェースを介して通信を行う。基地局２４は、ＭＳＣ２２からのダウンリンク・トラフィックおよび信号を移動局１００に送り、移動局１００からのアップリンク・トラフィックおよび信号をＭＳＣ２２に送る。
【００１１】
ＩＳ２０００ＲＡＮ１２は、さらに、ＩＳ２０００ＲＡＮ１２をパケット交換コアネットワーク（ＰＳＣＮ）３０に接続するパケット・コアファンクション（ＰＣＦ）２６を含むことができる。ＰＳＣＮ３０は、例えばインターネットのようなパケット・データ・ネットワーク（ＰＤＮ）１８に接続を行うパケット・データ・サービング・ノード（ＰＤＳＮ）３２を含む。ＰＳＣＮ３０は、ＩＳ２０００基地局２４がＩＳ２０００キャリアを介して移動局１００に対してパケットデータ・サービスを行うことを可能にする。ＰＤＳＮ３２は、例えばポイント・トゥ・ポイント・プロトコル（ＰＰＰ）を使用して、移動局１００との通信セションを確立する。ＩＳ２０００ＲＡＮ１２は、移動局を終点とするパケットデータをＰＤＳＮ３２から移動局１００に送り、移動局１００を始点とするパケットデータをＰＤＳＮ３２に送る。
【００１２】
ＩＳ２０００規格は、最近、ＩＳ２０００キャリアを介して高速パケットデータ・サービスを提供するフォワードおよびリバース・パケットデータ・チャネルを含むように改定された。改定されたＩＳ２０００規格は、１ｘＥＶ−ＤＶとして知られている。従って、ＩＳ２０００ネットワークは、フォワードおよび／またはリバース・リンク・パケットデータ・チャネルがサポートされていれば、音声サービスだけでなく高速パケットデータ・サービスを提供できる。
【００１３】
ネットワーク・オペレータは、図１に示されているように、ある領域に高速パケットデータ・サービスを提供するために、ＩＳ８５６ネットワークのような高データ・レート（ＨＤＲ）ネットワーク１４を使用するという選択ができる。ＩＳ８５６規格は、一般に、１ｘＥＶ−ＤＯとして知られている。ＩＳ８５６ＲＡＮ１４は、移動局１００と通信を行う１つあるいはそれ以上のアクセス・ネットワーク（ＡＮ）３６と、ＩＳ８５６ＲＡＮ１４をＰＳＣＮ３０に接続するパケット・コアファンクション（ＰＣＦ）３４とを含む。ＩＳ８５６ＡＮ３６およびＰＣＦ３４は、基本的に、ＩＳ２０００基地局２４とＰＣＦ２６と同じ機能を実行する。ＩＳ８５６ＲＡＮ１４は、移動局１００に高速パケットデータ・サービスを提供する。ＩＳ８５６ＲＡＮ１４は、は、例えば、ＩＳ２０００ＲＡＮ１２がフォワードおよびリバース・パケットデータ・チャネルをサポートしない領域で、使用される。Ａ１信号リンク３８は、ＩＳ８５６ＡＮ３６をＭＳＣ２２に接続する。後に詳述するように、信号リンク３８は、移動局１００がＩＳ８５６ＲＡＮ１４と動作中にＭＳＣ２２と信号メッセージを交換することを可能にする。
【００１４】
ＭＳＣ２２が、移動局１００をページングする必要がある場合はいくつかある。例えば、ＭＳＣ２２は、それが移動局１００向けの到来音声コールを受けたときには、移動局１００をページングする必要がある。ＩＳ２０００ＲＡＮ１２中で移動局１００をページングする典型的ページング手順が、図２に示されている。ＭＳＣ２２は、移動局１００をサービスしている基地局２４にＡ１ページング・リクエスト・メッセージを送り（ステップａ）、基地局２４は、フォワード・ページング・チャネル（Ｆ−ＰＣＨ）を介して移動局１００にページ・メッセージを送る（ステップｂ）。ページング・チャネルを介してページ・メッセージを受けた移動局１００は、基地局２４にページ応答メッセージを送り（ステップｃ）、基地局２４は、Ａ１ページング応答をＭＳＣ２２に送る（ステップｄ）。ページ応答メッセージは、リバース・ランダム・アクセス・チャネル（Ｒ−ＲＡＣＨ）またはリバース・エンハンスド・ランダム・アクセス・チャネル（Ｒ−ＥＡＣＨ）を介して送られる。そして、コールを確立するために、コール・セットアップおよびチャネル割当手順が実行される（ステップｅ）。
【００１５】
ＩＳ２０００ＲＡＮ１２に登録されたアイドル状態の移動局１００は、到来ページ・メッセージを求めて、ＩＳ２０００基地局２４によるページング・チャネル・ブロードキャストをモニタする。移動局１００は、また、ＩＳ８５６キャリアを周期的にサーチする。ＩＳ８５６キャリアが検出されると、移動局１００はＩＳ８５６ＲＡＮ１４に登録される。一般的実施例では、ＩＳ２０００およびＩＳ８５６ＲＡＮ１２、１４に登録されたアイドル状態の移動局１００は、ＩＳ２０００ネットワークまたはＩＳ８５６ネットワーク中の制御チャネルをキャンプ・オンし、到来メッセージおよび／または通知をチェックするために、他のネットワーク中の制御チャネルをスキャンする。ある実施例では、移動局１００は、ＩＳ８５６ネットワーク中の制御チャネルを優先的にキャンプ・オンする。この場合、移動局１００は、ページ・メッセージおよび他の回線交換通知を受けるために、ＩＳ２０００ネットワークの制御チャネルを周期的にスキャンする。キャリア間の切り替えは複雑であり、移動局１００がある通知を受信しそこなう可能性もある。また、移動局１００がブロードキャスト・チャネルをモニタしているが音声コール通知も受けたい場合には、移動局１００はＩＳ２０００キャリアに同調しなければならず、ブロードキャスト・サービスが断続してしまう。しかしながら、最近のＩＳ８５６の改良により、ＭＳＣ２２とＩＳ８５６ＲＡＮ１４との間の信号のやり取りが可能になった。ＭＳＣ２２とＩＳ８５６ＲＡＮ１４との間に信号リンク３８が存在するハイブリッド・ネットワーク１０においては、デュアルモードＩＳ２０００／ＩＳ８５６移動局１００は、ＩＳ８５６ＲＡＮ１４を介して、ＭＳＣ２２に信号を送り、ＭＳＣ２２から信号を受けることができる。従って、ＩＳ８５６ＲＡＮ１４内で動作しているデュアルモード移動局１００は、例えば周期的登録のようなアイドル・モード動作の実行および到来ページを受けるために、ＩＳ８５６チャネルを介してＭＳＣ２２と通信できる。この結果、移動局１００は、ＩＳ８５６ＲＡＮ１４内で動作しているときに、ＩＳ２０００ＲＡＮ１２中のページング・チャネルをモニタする必要がない。
【００１６】
図３は、移動局１００がＩＳ８５６ＲＡＮ１４内で動作しているときに、移動局１００をページングする手順を示す。移動局１００は、ＩＳ２０００ＲＡＮ１２およびＩＳ８５６ＲＡＮ１４の双方に登録されているものとする。ＩＳ８５６ＲＡＮ１４中のセション確立手順の一部として、移動局１００は、ＣＳＮＡのためにＩＳ８５６ＲＡＮ１４に登録され、ＩＳ８５６ＲＡＮ１４は、ＩＳ８５６ＲＡＮ１４を介して移動局１００にサービス通知を送るようにＭＳＣ２２に通知する。移動局１００は、アイドル・モードにおいて、ＩＳ８５６ＲＡＮ１４中の共通チャネルをモニタする。ＭＳＣ２２は、移動局１００への到来音声コールを受信すると、Ａ１ページング・リクエストをＩＳ２０００基地局２４に送るのではなく、Ａ１ページング・リクエスト・メッセージをＩＳ８５６ＲＡＮ１４に送る（ステップａ）。無線インタフェース・リソースを無駄に使用することになるので、ＭＳＣ２２は、Ａ１ページング・リクエストをＩＳ２０００基地局２４に送らないものとする。ＩＳ８５６ＲＡＮ１４中のＡＮ３６は、ＩＳ８５６共通制御チャネルを介してページ・メッセージを移動局１００へ送る（ステップｂ）。ページ・メッセージは、ＩＳ２０００ＲＡＮ１２に到来音声コールがあることを移動局１００に通知する。移動局１００は、ＩＳ２０００キャリアに同調し、ＩＳ２０００ＲＡＮ１２のＩＳ２０００基地局２４にページ応答メッセージを送る（ステップｃ）。ＩＳ２０００基地局２４は、Ａ１インタフェースを介して送信するために、ページ応答をフォーマット変更し、Ａ１ページング応答をＭＳＣ２２に送る（ステップｄ）。Ａ１ページング・リクエストは、ＴＡＧ情報エレメントを含んでおらず、その結果、ＭＳＣ２２は、Ａ１ページング・リクエストを拒絶または無視してしまう可能性がある。
【００１７】
図３に示されたページング手順は、潜在的に２つの問題がある。第１に、ＭＳＣ２２は、典型的な場合、相関のために、Ａ１ページング・リクエスト・メッセージ中に、移動局識別子例えばＩＭＳＩと、相関値とを含む。ＩＳ２０００規格では、相関値は、ＴＡＧ情報エレメント（ＩＥ）と呼ばれる。ＭＳＣ２２は、Ａ１ページング応答メッセージがＡ１ページング・リクエスト・メッセージと同じ相関値を含むものと考えており、これにより、Ａ１ページング応答メッセージを正しいＡ１ページング・リクエスト・メッセージに照合できる。相関値が一致していなければ、ＭＳＣ２２はＡ１ページング応答メッセージを捨てる。ＩＳ８５６ＲＡＮ１４によって送られるページ・メッセージは、ＴＡＧＩＥを含んでおらず、現在のところ、ＩＳ８５６ＲＡＮ１４からＩＳ２０００基地局２４にＴＡＧＩＥを送る方法はない。ここ結果、ＩＳ２０００基地局２４は、このページ応答を、要求していないページ応答として処理する。Ａ１ページ応答がＭＳＣに送られるとき、ＭＳＣは、Ａ１ページ応答と、もとのＡ１ページング・リクエストとを相互に関係付けることができない。
【００１８】
第２に、ＭＳＣのある実施形態では、Ａ１ページング応答メッセージは、Ａ１ページング・リクエスト・メッセージが送られたのと同じ物理的接続で戻ることが要求される。ＭＳＣ２２は、異なった物理的接続でＡ１ページング応答メッセージを受け取ると、このＡ１ページング応答メッセージを要求していないページ応答として処理し、これを無視してしまう。
【００１９】
図４は、本発明の一実施例によるページング手順を示す。図４に示されているように、ＭＳＣ２２は、従来と同様に、Ａ１ページング・リクエスト・メッセージをＩＳ８５６ＲＡＮ１４に送る（ステップａ）。Ａ１ページング・リクエスト・メッセージ中は、相関値例えばＴＡＧ情報エレメント（ＩＥ）と、移動局識別子例えばＩＭＳＩとを含む。本発明によれば、ＭＳＣ２２は、ＩＳ８５６ＲＡＮ１４内で移動局１００をページングするときには、ＩＳ２０００基地局２４にページ通知メッセージを送る（ステップｂ）。典型的一実施例においては、ページ通知メッセージは、従来のＡ１ページング・リクエスト・メッセージと、“ページ休止”インジケータと呼ばれる付加的インジケータとを含む。“ページ休止”インジケータが付加されたＡ１ページング・リクエスト・メッセージは、サイレント・ページング・リクエストと呼ばれる。サイレント・ページング・リクエスト・メッセージは、ＩＳ８５６ＲＡＮ１４に送られるＡ１ページング・リクエスト・メッセージに含まれる全ての情報を含む。サイレント・ページング・リクエスト・メッセージは、さらに、移動局１００にページ・メッセージを送らないようにＩＳ２０００ＲＡＮ１２に指示する“ページ休止”インジケータを含む。“ページ休止”インジケータが存在すると、基地局２４は、Ａ１ページング・リクエスト・メッセージに含まれる移動局識別子例えばＩＭＳＩと相関値とを、ページング移動局リストに記憶し、ページングを抑制する。すなわち、ＩＳ２０００基地局２４は、“ページ休止”インジケータがＡ１ページング・リクエスト・メッセージ中に存在するときには、移動局１００をページングしない。
【００２０】
ＩＳ８５６ＲＡＮ１４は、Ａ１ページング・リクエスト・メッセージに応じて、移動局１００にページ・メッセージを送る（ステップｃ）。移動局１００は、ページ・メッセージを受けると、ＩＳ２０００ＲＡＮ１２に切り替え、ランダム・アクセス・チャネルまたは他のリバース・リンク・チャネルを介してＩＳ２０００基地局２４にページ応答メッセージを送る（ステップｄ）。基地局２４は、ページ応答メッセージを受けると、これを、Ａ１インタフェースを介して送信するためにフォーマット変更し、相関値をメモリに記憶し、Ａ１ページング応答をＭＳＣ２２に送る（ステップｄ）。基地局２４は、移動局１００から受信されたページ応答中のＩＭＳＩと、メモリに記憶された前記ページング移動局リストとを相互に関係付ける（correlate）ことにより、Ａ１ページ応答メッセージに含ませる正しい相関値を決定する。
【００２１】
図５は、典型的なＭＳＣ２２とＩＳ２０００基地局２４とを詳細に示す。ＭＳＣ２２は、コール制御ハンドリングおよびモビリティ管理機能のためのコール制御およびモビリティ管理回路４６と、ユーザ・トラフィック伝送用のスイッチ４８とを含む。基地局（ＢＳ）２４は、基地局コントローラ（ＢＳＣ）４０と、１つまたはそれ以上の無線基地局（ＲＢＳ）４４とを含む。ＲＢＳ４４は、移動局１００と通信を行う無線装置を含む。ＢＳＣ４０は、基地局２４の制御部を含む。ＢＳＣ４０は、コール制御信号を処理し、ＲＢＳ４４によって使用される無線および通信リソースを管理する。ＢＳＣ４０は、ここで説明されるページング機能をハンドルするページング・プロセッサ４２を含む。ＢＳＣ４０とＭＳＣ２２との間の信号トラフィックは、Ａ１インタフェース上で搬送される。ＢＳＣ４０とＭＳＣ２２との間のユーザ・トラフィックは、Ａ２およびＡ５インタフェース上で搬送される。Ａ８およびＡ９インタフェースは、それぞれ、基地局２４とＰＣＦ２６との間のユーザ・トラフィックと信号を搬送する。Ａ３およびＡ７インタフェースは、ＩＳ２０００基地局２４を相互接続する。Ａ３インタフェースは、ＢＳ間のハンドオフのためのユーザ・トラフィックと信号を伝送するのに使用される。Ａ３インタフェースは、信号とユーザ・トラフィックと２つの部分からなる。Ａ７インタフェースは、ＢＳ間のハンドオフのためのソースＢＳ２４とターゲットＢＳ２４との間の信号情報を搬送する。
【００２２】
図６は、本発明の一実施例によるＩＳ２０００基地局２４の動作を示す流れ図である。ページング手順５０は、基地局２４がＭＳＣ２２からＡ１ページング・リクエスト・メッセージを受ける（ブロック５２）ところから始まる。基地局２４は、“ページ休止”インジケータが存在するか否かを判断する（ブロック５４）。存在しなければ、基地局２４は、ページング・チャネルを介して移動局１００にページ・メッセージを送る（ブロック５６）。“ページ休止”インジケータが存在すると、基地局２４は、Ａ１ページング・リクエスト・メッセージに含まれる移動局識別子例えばＩＭＳＩと相関値例えばＴＡＧ  ＩＥとを読み取り、これらの情報を、ページング移動局リストに記憶する（ブロック５８）。基地局２４は、ページング・チャネルを介して移動局１００にページ・メッセージを送らないが、移動局１００からのページング応答を予期している。基地局２４は、応答タイマをセットできる。応答タイマの目的は、応答タイマの１つの目的は、ＩＭＳＩ／ＴＡＧ  ＩＥ情報を記憶するのに関連したメモリを解放することにある。応答タイマは、スロット・サイクル・インデックス等のようなファクタに基づいてセットされる。応答タイマの設定時間が経過すると、基地局２４は、関連ＩＭＳＩ／ＴＡＧ  ＩＥ情報を消去する。ページング応答が受信されると、応答タイマはストップする。基地局２４は、移動局１００からページ応答メッセージを受信すると（ブロック６０）、Ａ１ページング応答に含ませる対応相関値を検出するために、ページ応答メッセージ中のＩＭＳＩと、メモリに記憶されたページング移動局リストとを比較する（ブロック６２）。一致したＩＭＳＩが検出されないと（ブロック６４）、基地局２４は、ページ応答メッセージを捨てるか、相関値例えばＴＡＧ  ＩＥ無しでＡ１ページング応答をＭＳＣ２２に送る（ブロック６６）。一致が検出されると（ブロック６４）、基地局２４は、ページ応答メッセージを、Ａ１インタフェースを介して送信するためにフォーマット変更し、ＴＡＧＩＥを挿入し、ＴＡＧ  ＩＥ付きのＡ１ページング応答をＭＳＣ２２に送る（ブロック６８）。ページ応答が処理されると、この手順は終了する（ブロック６９）。
【００２３】
図７は、ページング・プロセッサ４２の論理構成要素を示す。ページング・プロセッサ４２は、リクエスト・ハンドラ４３と、応答ハンドラ４５とを含む。リクエスト・ハンドラ４３は、ＭＳＣ２２からのＡ１ページング・リクエストを処理し、応答ハンドラ４５は、移動局１００からのページ応答を処理する。ＭＳＣ２２からのＡ１ページング・リクエストが受信されると、リクエスト・ハンドラ４３は、ページング・リクエスト中の“ページ休止”インジケータを探して、ページ・メッセージを移動局１００に送るか否かを決定する。“ページ休止”インジケータが存在するときには、リクエスト・ハンドラ４３は、Ａ１ページング・リクエスト中の移動局識別子例えばＩＭＳＩと相関値例えばＴＡＧ  ＩＥとを読み取り、この情報を、内部または外部メモリ４７中のページング移動局リストに記憶する。応答ハンドラ４５は、移動局１００からのページ応答を受ける。応答ハンドラ４５は、要求していないページ応答メッセージを受信すると、受信ページ応答中に含まれるＩＭＳＩと、ページング移動局リスト中のＩＭＳＩとを比較する。一致が検出されると、応答ハンドラ４５は、ページ応答を、Ａ１インタフェースを介して送信するためにフォーマット変更し、一致したＴＡＧ  ＩＥを挿入し、Ａ１ページング応答メッセージをＭＳＣ２２に送る。
【００２４】
図８は、本発明のページング方法が、不必要なページングを回避するのに使用できる他の態様を示す。図８に示された態様において、移動局１００は、ＰＤＳＮ３２とパケット・データ・セションを確立し、ＩＳ８５６ＲＡＮ１４と動作している。この態様では、パケット・データ・セションがドーマント（dormant：一時休止）で、移動局１００をＩＳ２０００ＲＡＮ１２に移行させるイベントが生じたものとする。移動局１００へのパケット・データがＰＤＳＮ３２に到着する。ＩＳ２０００ＲＡＮ１２は、ＰＤＳＮ３２との接続はないものとする。従って、ＰＤＳＮ３２は、パケット・データをＩＳ８５６ＲＡＮ１４に転送する（ステップａ）。ＩＳ８５６ＲＡＮ１４は、移動局１００がＩＳ２０００ＲＡＮ１２内で動作していると判断し、ＩＳ８５６ＲＡＮ１４が移動局１００への到来パケット・データを有していることを移動局１００に知らせるために、ＭＳＣ２２にＢＳサービス・リクエストを送る（ステップｂ）。ＭＳＣ２２は、ＢＳサービス応答を送った（ステップｃ）後、Ａ１ページング・リクエストをＩＳ２０００ＲＡＮ１２に送り（ステップｄ）、これにより、ＩＳ２０００ＲＡＮ１２は、前述のように、移動局１００をページングする（ステップｅ）。望ましい動作は、移動局１００がＩＳ８５６ＲＡＮ１４に戻ることであり、移動局１００は、到来パケット・データを受信すべくＩＳ８５６ＲＡＮ１４との接続を確立するために、接続リクエストを送る（ステップｆ）。ＩＳ８５６ＲＡＮ１４は、接続リクエストを受信した後、移動局１００にチャネルを割り当て、ＰＤＳＮ３２へのＡ１０接続をセットアップする（ステップｇ）。
【００２５】
この態様においては、移動局１００が、ページ・メッセージに応答することなくＩＳ８５６ＲＡＮ１４に移行すると、ＩＳ２０００基地局２４は、Ａ１ページング応答をＭＳＣ２２に送らない。ＭＳＣ２２は、Ａ１ページング・リクエストをＩＳ２０００基地局２４に送った後タイマをセットし、Ａ１ページング応答を待つ。ＭＳＣ２２は、タイマ時間経過前にＡ１ページング応答を受信しないと、問題があったと推断し、移動局１００へのページングを再試行する。実施態様に応じて、第２およびそれに続くＡ１ページング・リクエスト・メッセージが、全ての基地局２４に送られる。いずれにしても、移動局１００がもはやＩＳ２０００ＲＡＮ１２中で動作していなければ、続くページング試行は失敗する。
【００２６】
図９は、移動局１００がもはやＩＳ２０００ＲＡＮ１２をモニタしていないときに、不必要なページングを回避する本発明による典型的なページング手順を示す。移動局１００へのパケット・データがＰＤＳＮ３２に到着する。ＩＳ２０００ＲＡＮ１２は、ＰＤＳＮ３２との接続はないものとする。従って、ＰＤＳＮ３２は、パケット・データをＩＳ８５６ＲＡＮ１４に転送する（ステップａ）。ＩＳ８５６ＲＡＮ１４は、移動局１００がＩＳ２０００ＲＡＮ１２内で動作していると判断し、ＩＳ８５６ＲＡＮ１４が移動局１００への到来パケット・データを有していることを移動局１００に知らせるために、ＭＳＣ２２にＢＳサービス・リクエストを送る（ステップｂ）。ＭＳＣ２２は、ＢＳサービス応答を送った（ステップｃ）後、本発明により、Ａ１ページング・リクエスト・メッセージをＩＳ２０００ＲＡＮ１２に送る（ステップｄ）だけでなく、“ページ休止”インジケータが付加されたＡ１ページング・リクエスト・メッセージをＩＳ８５６ＲＡＮ１４に送る（ステップｅ）。サイレント・ページング・リクエスト・メッセージは、ＩＳ８５６ＲＡＮ１４に対し、移動局１００からページ応答があることを指示し、“ページ休止”インジケータは、アクセス・ネットワーク３６にページ・メッセージを送らないように指示する。ＩＳ２０００ＲＡＮ１２は、移動局１００にページ・メッセージを送る（ステップｆ）。ＩＳ８５６ＲＡＮ１４は、サイレント・ページング・リクエストを受けて、ＩＭＳＩおよびＴＡＧ  ＩＥを記憶し、移動局１００からの接続リクエストを待つ。ＩＳ８５６ＲＡＮ１４は、移動局１００から接続リクエストを受けると（ステップｇ）、Ａ１ページング応答メッセージをＭＳＣ２２に送る（ステップｈ）。ＭＳＣ２２は、移動局１００がＩＳ８５６ＲＡＮ１４をモニタしていることを理解し、ページング・プロセスを終了する。ＩＳ８５６ＲＡＮ１４は、接続リクエストを受けると、移動局１００にチャネルを割り当て、ＰＤＳＮ３２にＡ１０接続をセットアップする（ステップｉ）。
【００２７】
図１０は、不必要なページングを回避するためにＩＳ８５６ＲＡＮ１４によって実行される典型的手順を示す。ページング手順７０は、ＩＳ８５６ＲＡＮ１４がＭＳＣ２２からＡ１ページング・リクエスト・メッセージを受ける（ブロック７２）ところから始まる。ＩＳ８５６ＲＡＮ１４は、“ページ休止”インジケータが存在するか否かを判断するためにＡ１ページング・リクエスト・メッセージを検査する（ブロック７４）。存在しなければ、ＩＳ８５６ＲＡＮ１４は、ＣＳＮプロトコルを使用して移動局１００にページ・メッセージを送り（ブロック７６）、手順は終了する（ブロック８９）。“ページ休止”インジケータが存在すると、ＩＳ８５６ＲＡＮ１４は、ＩＭＳＩと相関値ＩＥとを、ＩＭＳＩリストに記憶する（ブロック７８）。ＩＳ８５６ＲＡＮ１４は、ページ・メッセージを送らないが、移動局１００が再びＩＳ８５６ＲＡＮ１４に現れるのを待つ。ＩＳ８５６ＲＡＮ１４は、接続リクエスト・メッセージを受ける（ブロック８０）か、移動局１００が存在することを示す他のメッセージを受けると、信号メッセージからＵＡＴを抽出し、ＵＡＴと、ＩＭＳＩとを相互に関係付ける（ブロック８２）。ＩＳ８５６ＲＡＮ１４は、受信したメッセージ中のＵＡＴに対応したＩＭＳＩと、メモリに記憶されたページング移動局リストとを比較する（ブロック８４）。一致が検出されないと（ブロック８６）、手順は終了し（ブロック８９）、受信したメッセージは、ＩＳ８７８プロトコルに従って処理される。一致が検出されると（ブロック８６）、ＩＳ８５６ＲＡＮ１４は、記憶された相関値ＩＥを含むＡ１ページング応答メッセージをＭＳＣ２２に送り（ブロック８８）、手順は終了する（ブロック８９）。
【００２８】
図１１は、本発明の一実施例によるＩＳ８５６ＡＮ３６の典型例を示す。ＩＳ８５６ＡＮ３６は、コントローラ９０と、１つまたはそれ以上のセクタ９４とを含む。セクタ９４は、移動局１００と通信を行う無線装置を含む。コントローラ９０は、ＡＮ３６の制御部を含む。コントローラ９０は、コール制御信号を処理し、セクタ９４によって使用される無線および通信リソースを管理する。コントローラ９０は、図７に示されたページング機能をハンドルするページング・プロセッサ９２を含む。信号リンク３８は、ＡＮ３６を、ＭＳＣ２２中のコール制御およびモビリティ管理回路４６に接続する。ＩＳ２０００基地局２４と異なり、ＩＳ８５６ＡＮ３６は、ユーザ・トラフィック用のＭＳＣ２２とのリンクを有しない。Ａ８およびＡ９インタフェースは、それぞれ、ＩＳ８５６ＡＮ３６とＰＣＦ２６との間のユーザ・トラフィックと信号を搬送する。Ａ１３インタフェースは、ＩＳ８５６ＡＮ３６間のユーザ・トラフィックと信号を伝送する。
【００２９】
図１２は、ＩＳ２０００ネットワーク内の移動局を、該移動局がＩＳ８５６ネットワーク内でドーマント・パケット・データ・セションを行っている状態で、ページングする本発明の別の実施例によるページング手順を示す。移動局１００へのパケット・データがＰＤＳＮ３２に到着する。ＩＳ２０００ＲＡＮ１２は、ＰＤＳＮ３２との接続はないものとする。従って、ＰＤＳＮ３２は、パケット・データをＩＳ８５６ＲＡＮ１４に転送する（ステップａ）。ＩＳ８５６ＲＡＮ１４は、移動局１００がＩＳ２０００ＲＡＮ１２内で動作していると判断し、ＩＳ８５６ＲＡＮ１４が移動局１００への到来パケット・データを有していることを移動局１００に知らせるために、ＭＳＣ２２にＢＳサービス・リクエストを送る（ステップｂ）。ＭＳＣ２２は、ＢＳサービス応答を送った（ステップｃ）後、Ａ１ページング・リクエスト・メッセージをＩＳ２０００ＲＡＮ１２に送る（ステップｄ）。この実施例においては、ＩＳ２０００基地局（ＢＳ）２４は、Ａ１ページング・リクエストがＩＳ８５６サービス・オプション（すなわちＳＯ５９Ｈ）を含んでいることを認識するロジックを含む。ＩＳ２０００ＢＳ２４は、Ａ１ページング・リクエスト中にＩＳ８５６サービス・オプションを検出すると、移動局１００にページ・メッセージを送り（ステップｅ）、移動局１００からの無線インタフェースを介した応答を待つことなく、ＭＳＣ２２に、即時Ａ１ページング応答を送る（ステップｆ）。ＭＳＣ２２は、移動局１００がＩＳ８５６ＲＡＮ１４をモニタしていることを理解し、ページング・プロセスを終了する。ＩＳ８５６ＲＡＮ１４は、移動局１００から接続リクエストを受ける（ステップｇ）と、ＰＤＳＮ３２にＡ１０接続をセットアップし、移動局１００にチャネルを割り当てる（ステップｉ）。この実施例においては、ＩＳ８５６ＢＳ２４にＡ１ページング・リクエストを送る必要はなく、ＩＳ８５６ＡＮ３６がＡ１ページング応答をＭＳＣ２２に送る必要はない。
【００３０】
図１３は、移動局がＩＳ８５６ＲＡＮ１４とドーマント・パケット・データ・セションを行いＰＤＳＮ３２からデータを受けるときに、不必要なページングを回避するためにＩＳ２０００ＲＡＮ１４で実施される本発明の典型的ページング手順１１０を示す。ＩＳ２０００ＢＳ２４は、ＭＳＣ２２からＡ１ページング・リクエストを受けると、Ａ１ページング・リクエストがＩＳ８５６サービス・オプションを含んでいるか判断するためにＡ１ページング・リクエストのコンテントを検査する（ステップ１１２）。含んでいなければ、ＩＳ２０００ＢＳ２４は、移動局１００にページ・メッセージを送り（ステップ１１６）、通常のページ応答処理を行い（ステップ１１８）、手順は終了する（ステップ１２４）。Ａ１ページング・リクエスト中にＩＳ８５６サービス・オプションが含まれていると、ＩＳ２０００ＢＳ２４は、移動局１００にページ・メッセージを送り（ステップ１２０）、ページ応答を待つことなく、ＭＳＣ２２に、即時Ａ１ページング応答を送る（ステップ１２２）。即時Ａ１ページング・リクエストは、ＭＳＣ２２におけるページング・プロセスを終了させる（ステップ１２４）。
【００３１】
当業者は、本発明のページング方法を使用できる他の方法を見付けることができるであろう。上述した典型的実施例においては、移動局の不必要なページングを行うことなく、ハイブリッド・ネットワークにおける仕事の交替の困難を克服するために、ページング・リクエスト・メッセージは、移動局のページングを抑制する“ページ休止”インジケータを含む。“ページ休止”インジケータ付きのページング・リクエスト・メッセージを送る代わりに、本発明は、基地局２４またはアクセス・ネットワーク３４に、移動局１００からページ応答または他のメッセージが送られてくることを予期させるように通知するメッセージを送る他の形態も使用できる。“ページ休止”インジケータ付きのページング・リクエストを、ページ通知メッセージと単に呼ぶ方がわかり易いであろう。ページ通知メッセージは、“ページ休止”インジケータ付きのページング・リクエストの形態をとることができるが、本発明は、他のメッセージ・タイプおよびフォーマットで実施できる。
【００３２】
本発明は、本発明の基本的特徴およい範囲を逸脱することなく、他の特定の方法および態様で実施できるのは、もちろんである。従って、上述した本発明の実施例は、全ての点で単なる例であって、本発明はこれに限定されるわけではなく、特許請求の範囲に記載した意味および均等の範囲内での全ての変更は、本発明の範囲である。
【図面の簡単な説明】
【００３３】
【図１】ＩＳ２０００ネットワークとＩＳ８５６ネットワークとの組合せである典型的なハイブリッド・ネットワークを示すブロック図である。
【図２】移動局がＩＳ２０００ネットワーク内で動作している間に、移動局をページングする従来のページング手順を示すコール・フロー図である。
【図３】ＩＳ２０００ネットワーク内の移動局を、該移動局がＩＳ８５６ネットワーク内で動作している間に、ページングする従来のページング手順を示すコール・フロー図である。
【図４】ＩＳ２０００ネットワーク内の移動局を、該移動局がＩＳ８５６ネットワーク内で動作している間に、ページングする本発明の一典型的実施例によるページング手順を示すコール・フロー図である。
【図５】本発明の一典型的実施例によるＩＳ２０００基地局を示すブロック図である。
【図６】本発明の一典型的実施例によるＩＳ２０００基地局のためのページング手順を示す流れ図である。
【図７】本発明の一典型的実施例によるＩＳ２０００基地局内のページング・プロセッサを示すブロック図である。
【図８】ＩＳ２０００ネットワーク内の移動局を、該移動局がＩＳ８５６ネットワーク内でドーマント・パケット・データ・セションを行っている状態で、ページングする従来のページング手順を示すコール・フロー図である。
【図９】ＩＳ２０００ネットワーク内の移動局を、該移動局がＩＳ８５６ネットワーク内でドーマント・パケット・データ・セションを行っている状態で、ページングする本発明の一典型的実施例によるページング手順を示すコール・フロー図である。
【図１０】本発明の一典型的実施例によるＩＳ８５６基地局のためのページング手順を示す流れ図である。
【図１１】本発明の一典型的実施例によるＩＳ８５６基地局を示すブロック図である。
【図１２】ＩＳ２０００ネットワーク内の移動局を、該移動局がＩＳ８５６ネットワーク内でドーマント・パケット・データ・セションを行っている状態で、ページングする本発明の他の典型的実施例によるページング手順を示すコール・フロー図である。
【図１３】本発明の一典型的実施例によるＩＳ２０００基地局のためのページング手順を示す流れ図である。
【図１】
2008511251.tif 000003
【図２】
2008511251.tif 000004
【図３】
2008511251.tif 000005
【図４】
2008511251.tif 000006
【図５】
2008511251.tif 000007
【図６】
2008511251.tif 000008
【図７】
2008511251.tif 000009
【図８】
2008511251.tif 000010
【図９】
2008511251.tif 000011
【図１０】
2008511251.tif 000012
【図１１】
2008511251.tif 000013
【図１２】
2008511251.tif 000014
【図１３】
2008511251.tif 000015